(57)【要約】      （修正有）【課題】時計ケース、腕時計、及び時計ケースを備える腕時計組立てキットを提供する。【解決手段】腕時計１のための時計ケース２に関し、時計ケース２は、時計中板６と、時計中板６を支持する少なくとも１つの支材７ａ、７ｂであって、時計中板６が占める空間を越えて延在する支材７ａ、７ｂと、時計ストラップ４を支材７ａ、７ｂに取り外し可能に取り付ける手段８とを備える。時計ケース２は、支材又は支材の一方を時計中板６に固定する部材１３を更に備え、取り外し可能取り付け手段８は、支材７ｂを時計中板６に固定した際に形成され、固定部材１３は、支材７ｂを時計中板６から取り外す手段２４を含み、手段２４は、器具を使用せずに時計中板６からの支材７ｂの解放を可能にするように構成され、支材７ｂは、時計中板６に取り外し可能に固定される。【選択図】図１
2019049546.tif 000002
【特許請求の範囲】
【請求項１】
腕時計（１）のための時計ケース（２）であって、
−時計中板（６）；
−前記時計中板（６）を支持する少なくとも１つの支材（７ａ、７ｂ）であって、剛性であり、前記時計中板（６）が占める空間を越えて延在する支材（７ａ、７ｂ）；
−時計ストラップ（４）を前記支材（７ａ、７ｂ）に取り外し可能に取り付ける手段（８）
を備える時計ケース（２）において、前記時計ケース（２）は、前記支材又は前記支材の一方を前記時計中板（６）に固定する部材（１３）を更に備え、前記取り外し可能取り付け手段（８）は、前記支材（７ｂ）を前記時計中板（６）に固定した際に形成されること；
前記固定部材（１３）は、前記支材（７ｂ）を前記時計中板（６）から取り外す手段（２４）を含み、前記手段（２４）は、器具を使用せずに前記時計中板（６）からの前記支材（７ｂ）の解放を可能にするように構成し、前記支材（７ｂ）は、前記時計中板（６）に取り外し可能に固定すること、及び前記支材（７ａ、７ｂ）は、前記時計中板（６）の側面上に組み付けることを特徴とする、時計ケース（２）。
【請求項２】
時計ストラップ（４）を前記支材（７ａ、７ｂ）に取り外し可能に取り付ける前記手段（８）は、前記時計ストラップ（４）を保持する手段（４２）を備え、前記手段（４２）は、前記時計ストラップ（４）の端区分（４０）に挿入されるように適合させることを特徴とする、請求項１に記載の時計ケース（２）。
【請求項３】
前記時計中板（６）は、支材を受け入れる少なくとも１つの溝（２０ａ、２０ｂ）を更に備え、前記溝（２０ａ、２０ｂ）は、前記時計中板（６）の側面に嵌め込み、前記支材（７ａ、７ｂ）の中心部分（２２ｂ）に相補形状であり、前記支材（７ａ、７ｂ）の前記中心部分（２２ｂ）を受け入れ、前記溝（２０ａ、２０ｂ）の深さは、前記支材（７ａ、７ｂ）を前記溝（２０ａ、２０ｂ）内に面一で収容するようなものであることを特徴とする、請求項２に記載の時計ケース（２）。
【請求項４】
前記時計ケース（２）は、固定棒（２８）が延在する頭部（２６）を備えるりゅうず車を備え、前記りゅうず車は、前記固定部材（１３）を形成し、前記りゅうず車の前記頭部（２６）は、前記時計ケース（２）の外側に突出し、前記時計中板（６）から前記支材（７ｂ）を取り外す前記手段（２４）を形成することを特徴とする、請求項１から３のいずれか一項に記載の時計ケース（２）。
【請求項５】
前記固定棒（２８）は、ねじであること、及び前記取り外し可能固定支材（７ｂ）は、前記ねじを通過させるための開口（３０）を含み、前記時計中板（６）は、前記ねじを受けるように適合させた雌ねじ開口（３２）を含むことを特徴とする、請求項４に記載の時計ケース（２）。
【請求項６】
前記固定棒（２８）は、差込み部材であること、及び前記取り外し可能固定支材（７ｂ）は、前記差込み部材を通過させるための開口を含み、前記時計中板（６）は、前記差込み部材を受けるように適合させた開口を含むことを特徴とする、請求項４に記載の時計ケース（２）。
【請求項７】
前記時計ケース（２）は、実質的に円形状であること、及び前記支材（７ａ、７ｂ）は、弓形状の中心部分（２２ｂ）を備えることを特徴とする、請求項１から６のいずれか一項に記載の時計ケース（２）。
【請求項８】
前記取り外し可能固定支材（７ｂ）は、前記時計中板（６）上に前記支材（７ｂ）を案内、配置する少なくとも１つの要素（３４）を更に備えること、及び前記時計中板（６）は、少なくとも１つの受け入れオリフィス（３６）を更に備え、前記受け入れオリフィス（３６）は、前記案内・配置要素（３４）と協働するように適合させることを特徴とする、請求項１から７のいずれか一項に記載の時計ケース（２）。
【請求項９】
前記時計ケース（２）は、前記時計中板（６）を支持する２つの支材（７ａ、７ｂ）を備え、前記２つの支材（７ａ、７ｂ）は、前記時計中板（６）のそれぞれの反対側に配置し、前記２つの支材の一方は、前記時計中板（６）に取り外し可能に固定する前記支材（７ｂ）を形成し、もう一方の前記支材（７ａ）は、前記時計中板（６）に取り付けられていることを特徴とする、請求項１から８のいずれか一項に記載の時計ケース（２）。
【請求項１０】
時計ストラップ（４）を前記支材（７ａ、７ｂ）に取り外し可能に取り付ける前記手段（８）は、前記時計ストラップ（４）を保持する手段（４２）を備え、前記手段（４２）は、前記時計ストラップ（４）の端区分（４０）に挿入されるように適合され、
各前記支材（７ａ、７ｂ）は、２つのＬ字形状端部分（４２）を含み、各前記支材（７ａ、７ｂ）の各前記Ｌ字形端部分（４２）は、前記保持手段（４２）の一方を形成し、前記時計ストラップ（４）の端区分（４０）に挿入されるように適合させたピン（４４）を備えることを特徴とする、請求項９に記載の時計ケース（２）。
【請求項１１】
前記各支材（７ａ、７ｂ）は、前記Ｌ字形状端部分（４２）との一体部品であることを特徴とする、請求項１０に記載の時計ケース（２）。
【請求項１２】
時計ケース（２）及び前記時計ケース（２）に取り付ける時計ストラップ（４）を備える腕時計（１）において、前記時計ケース（２）は、請求項１から１１のいずれか一項に記載のものであり、支材（７ａ、７ｂ）は、前記時計ストラップ（４）の長手方向に向けられ、前記時計ストラップ（４）は、前記支材（７ａ、７ｂ）に取り外し可能に取り付けることを特徴とする、腕時計（１）。
【請求項１３】
請求項１１に記載の時計ケース（２）において、前記時計ストラップ（４）は、２つの端区分（４０）を含み、前記各支材（７ａ、７ｂ）の各Ｌ字形状端部分（４２）のピン（４４）は、前記時計ストラップ（４）の前記端区分（４０）の一方に挿入し、前記ピン（４４）は、前記時計ケース（２）の３時−９時軸に実質的に平行であることを特徴とする、請求項１２に記載の腕時計（１）。
【請求項１４】
腕時計（１）及び少なくとも１つの時計ストラップ（４）を備える腕時計組立てキットにおいて、前記腕時計（１）は、請求項１２又は１３に記載のものであることを特徴とする、腕時計組立てキット。
【発明の詳細な説明】
【技術分野】
【０００１】
本発明は、腕時計のための時計ケースに関する。
【０００２】
本発明は、また、時計ケース及び時計ケースに取り付ける時計ストラップを備える腕時計に関する。
【０００３】
本発明は、更に、腕時計及び複数の時計ストラップを備える腕時計組立てキットに関する。
【背景技術】
【０００４】
機械式又は電気機械式腕時計の分野において、時計中板を有する時計ケースに、時計中板を支持する少なくとも１つの支材を設けることは公知である。
【０００５】
この種類の時計ケースは、例えば、特許出願ＥＰ０３８６６２１Ａ１に記載されている。この時計ケースにおいて、時計中板を支持する２つの支材は、時計中板のそれぞれの反対側に配置される。２つの支材は、時計中板が占める空間を越えて延在し、時計ストラップへの取り付け手段として働く。この目的で、２つのばね棒は、筐体内の枢動部によって固定され、枢動部は、一般的には止まり穴によって形成され、支材端部の対向する面内に配置され、棒のそれぞれは、時計ストラップの各区分の一端に設けたアイレットに挿入される。２つの支材は、例えばねじにより時計中板に永続的に固定される。しかし、提案される時計ケースの欠点は、器具を使用せずに時計ストラップを交換することが可能ではないことである。実際には、時計ストラップを交換するために、適切な器具を使用してばね棒の枢動部に作用し、ばね棒を後退させ、ばね棒を筐体から外し、時計ストラップを時計ケースから分離する必要がある。
【０００６】
特許出願ＣＨ５１３４５３には、枠、２つの端部を枠に取り付けた時計ストラップ、及び枠要素の間に保持される時計ケースを有する腕時計が記載されている。より正確には、枠要素は、時計ケースの時計中板のそれぞれの反対側に配置された２つの支材、及び支材を時計ストラップに固定する２つの部材から構成される。この腕時計の１つの特定の実施形態によれば、支材を時計ストラップに固定する２つの部材は、２つのねじから構成され、２つのねじは、支材をその両端で接続し、ねじのそれぞれは、一端に、支材から外側に突出する刻み付き頭部を含む。各ねじは、時計ストラップの一区分の一端に配置したアイレットに挿入され、時計ストラップを枠に固定する。刻み付き頭部によりねじを外すことによって、ユーザは、枠要素の全てを分離し、したがって、時計ケースから時計ストラップを解放することができる。したがって、このことにより、時計ストラップ又は時計ケースを、器具を使用せずに交換可能にする。しかし、このような取り外しは、ねじのそれぞれに対する作業、即ち、合計２回の取り外し作業を伴う。このことは、時計ストラップの交換作業を複雑にする。更に、ねじを取り外した後、腕時計の全ての要素は分離している。このことは、要素が脱落及び破断する危険性のために更なる欠点を構成する。したがって、取り外し作業は、困難になり、いくぶん非実用的である。
【先行技術文献】
【特許文献】
【０００７】
【特許文献１】ＥＰ０３８６６２１Ａ１
【特許文献２】ＣＨ５１３４５３
【発明の概要】
【発明が解決しようとする課題】
【０００８】
したがって、本発明の目的は、腕時計のための時計ケースを提供することであり、この時計ケースは、器具を使用せず、労力を要さず容易に時計ストラップを交換することを可能にし、従来技術の上述の欠点を軽減する。
【課題を解決するための手段】
【０００９】
この目的で、本発明は、独立請求項１に記載の特徴を備える腕時計のための時計ケースに関する。
【００１０】
時計ケースの特定の形態は、従属請求項２から１２において規定する。
【００１１】
本発明によるこの種類の時計ケースの利点は、時計中板を支持する支材が、時計中板に取り外し可能に直接的に固定されること、及び支材に時計ストラップを取り付ける取り外し可能手段が、支材を時計中板に固定した際に形成されることにある。
【００１２】
支材取り外し手段が、支材を時計中板に固定する部材を備えるために、ユーザは、器具を使用せずに時計ストラップを容易に交換することができる。実際は、反対に、時計ストラップを支材に取り外し可能に取り付ける手段は、支材を時計中板に固定した際に形成されるため、支材を時計中板から取り外した際に、時計ストラップは支材から至って容易に取り外される。この単一取り外し作業は、ユーザにとって非常に単純であり、この場合、ユーザは、１つ又は複数の支材から初期の時計ストラップを取り外し、時計ストラップを新たな時計ストラップと取り替えることによって、時計ストラップを交換することができる。この場合、ユーザは、例えば、美観的な理由で又は便宜的に、腕時計の時計ストラップを定期的に交換することができる。
【００１３】
時計ストラップを支材に取り外し可能に取り付ける手段は、有利には、アイレットに挿入されるように適合させた、時計ストラップを保持する手段、又は時計ストラップの一区分の一端に設けた同様のデバイスを備える。このことにより、取り外し可能支材を取り外した後、時計ストラップの支材からの容易な解放が可能となることにより、時計ストラップの交換作業の促進を可能にする。
【００１４】
本発明の１つの特定の実施形態によれば、時計ケースは、時計中板を支持する２つの支材を備え、２つの支材は、時計中板のそれぞれの反対側に配置する。２つの支材の一方は、時計中板に取り外し可能に固定する支材を形成し、もう一方の支材は、時計中板に例えば永続的に取り付けられている。
【００１５】
各支材は、有利には、２つのＬ字形状端部分を有し、各支材の各Ｌ字形状端部分は、前記保持支材の一方を形成し、時計ストラップの端区分に挿入されるように適合させたピンを備える。このことにより、取り外し可能支材を外した後、支材の端部で時計ストラップをピンに沿って単に摺動させることによって、時計ストラップの容易な解放が可能となることにより、時計ストラップの交換作業を更なる促進を可能にする。
【００１６】
やはり有利には、各支材は、そのＬ字形状端部分と一体部品である。このことにより、支材の機械加工を促進し、支材の製造費用を低減可能にする。
【００１７】
各支材は、有利には、時計中板の側面上に組み付けられている。このことにより、時計ケースの機械加工費用を低減可能にする。
【００１８】
この目的で、本発明は、上記の時計ケースを備え、請求項１３に記載の特徴を有する腕時計にも関する。
【００１９】
腕時計の１つの特定の形態は、請求項１４において規定する。
【００２０】
この目的で、本発明は、上記の腕時計を備え、請求項１５に記載の特徴を有する腕時計組立てキットにも関する。
【００２１】
時計ケース並びに腕時計及び時計ケースを備える組立てキットの目的、利点及び特徴は、図示の少なくとも１つの非限定的実施形態に基づく以下の説明においてより明らかになるであろう。
【図面の簡単な説明】
【００２２】
【図１】本発明による時計ケースを備える腕時計の平面図である。
【図２ａ】図１の線ＩＩ−ＩＩに沿って取った時計ケースの部分断面図である。
【図２ｂ】図１の線ＩＩＩ−ＩＩＩに沿って取った時計ケースの部分断面図である。
【図３】図１の腕時計の分解斜視図である。
【図４】図１の腕時計の分解斜視図である。
【発明を実施するための形態】
【００２３】
図１は、腕時計１を示し、腕時計１は、時計ケース２、及び時計ケース２に取り外し可能に取り付けた時計ストラップ４を備える。腕時計１は、例えば、１つ又は複数の更なる時計ストラップを備えるキット（図示せず）の一部とすることができる。そのような更なる時計ストラップは、腕時計１のための多数の交換可能時計ストラップとして構成し、時計ケース２に取り外し可能に取り付けることができる。非限定的な例として、時計ストラップ４及び更なる時計ストラップは、例えば、連結金属リンク、プラスチック材料、又は皮革等の可撓性材料から構成することができる。
【００２４】
本明細書の残りにおいて、要素は、要素の時計ケース２に対する向きに応じて内部又は外部として非限定的に説明する。
【００２５】
時計ケース２は、時計中板６、及び時計中板６の少なくとも１つの支材７ａ、７ｂを備える。図１から図４に示す特定の実施形態では、時計ケース２は、２つの支材７ａ、７ｂを備える。時計ケース２は、時計ストラップ４を支材７ａ、７ｂに取り外し可能に取り付ける手段８、及び支材７ａ、７ｂの一方を時計中板６に取り外し可能に固定する部材１３を更に備える。
【００２６】
時計ケース２は、標準構造のムーブメント（図示せず）、例えば、円形状の機械式ムーブメント、及び針１０から形成した表示手段を移動させる文字板９を囲繞する。ムーブメントは、りゅうず車１１を含み、りゅうず車１１は、時計中板６内に形成したオリフィスを通じて時計ケース２の外側に延在する。
【００２７】
図示のように、時計中板６は、環形状であり、底部の裏蓋１２、及びクリスタル１８により閉鎖されており、クリスタル１８の外周縁部は、環状上側縁上に載置されている。クリスタル１８は、例えば、サファイアクリスタルである。図１から図４で例とする時計ケース２において、時計ケースの構成は、実質的に円形である。しかし、本発明は、この種類の構成の時計ケース、又は時計中板６の上記した他の特徴に決して限定するものではない。
【００２８】
各支材７ａ、７ｂは、好ましくは、時計中板６の側面上に組み付けられている。この目的で、時計中板６は、例えば、支材７ａ、７ｂを側面の一方に嵌め込んで受けるための少なくとも１つの溝２０ａ、２０ｂを備える。図１から図４に示す特定の実施形態では、時計中板６は、２つの溝２０ａ、２０ｂを備える。図１及び図２ａ及び図２ｂに示すように、各溝２０ａ、２０ｂの深さは、対応する支材７ａ、７ｂをケースと面一で溝２０ａ、２０ｂ内に収容するようなものである。このことにより、時計の機械加工費用を低減する一方で、美的外観を向上させる。
【００２９】
支材７ａ、７ｂは、時計中板６のそれぞれの反対側に配設され、時計ストラップ４が延在する方向に対応して、全体的に長手方向に向けられている。長手方向は、時計ストラップ４を時計ケース２に取り付けた際に、時計ケース２の６時−１２時方向に実質的に対応する。図１に示すように、支材７ａ、７ｂは、６時及び１２時で時計中板６から突出し、これにより、後でより詳細に説明するように、支材７ａ、７ｂにより、時計ストラップ４を時計ケース２に取り付けることを可能にする。
【００３０】
２つの支材の第１の支材７ａは、時計中板６に取り付けられており、第２の支材７ｂのようにユーザが時計中板から外すことを意図するものではなく、その理由は後で明らかになろう。この目的で、第１の支材７ａは中心部分を有し、中心部分の中心には、りゅうず車１１が通過するための開口が穿孔されている。開口（図示せず）は、時計中板６のオリフィスと位置合わせされ、りゅうず車１１が、時計中板６及び第１の支材７ａを通過して延在するようにする。第１の支材７ａは、時計中板の側面内に形成される溝２０ａ内に収容される部分（図示の例では弓形である）の端部のそれぞれで、文字板９の平面に直交する方向に延在するねじ穴７ｃを更に備える。各穴は、固定ねじ７ｄを受け入れ、固定ねじ７ｄは、時計中板の溝２０ａ内に通じる穴６ａを通過し、支材７ａを時計中板６の右手側面に締結する（図２ｂ）。この右手側面は、時計ケース２の６時−１２時軸に対して考えた場合に、側面が文字板９の右手半部の側に位置するものとして画定する。
【００３１】
第２の支材７ｂは、固定部材１３を介して時計中板６に取り外し可能に固定する。固定部材１３は、時計中板６から第２の支材７ｂを取り外す手段２４を含む。取り外し手段２４は、以下で詳細に説明するように、器具を使用せずに第２の支材７ｂを時計中板６から解放可能にするように構成する。図１から図４までの特定の実施形態では、固定部材１３は、りゅうず車で形成する。りゅうず車１３は、固定棒２８によって延在する頭部２６を備える。りゅうず車の頭部２６は、時計ケース２の外側に突出し、この例では、取り外し手段２４を形成する。第２の支材７ｂは、中心部分２２ｂを有し、中心部分２２ｂの中心には、りゅうず車１３が通過するための開口３０が穿孔されている。しかし、第２の支材７ｂの中心部分２２ｂの中心にある開口３０のそのような位置は、本発明の背景において決して限定的なものではない。
【００３２】
図２ａに示すように、開口３０は、時計中板６の左手側面上に形成した開口３２と位置合わせされる。開口３２は、りゅうず車１３の固定棒２８を受け入れ、りゅうず車１３を第２の支材７ｂを通じて時計中板６内に係合した際に時計中板６の左手側面に対する第２の支材７ｂの確実な固定を可能にする。図２ａに示す特定の実施形態では、固定棒２８は、ねじであり、開口３２は、雌ねじ開口である。図示しない一変形形態では、固定棒２８は、差込み型要素であり、開口３２は、この差込み型要素と協働するように適合され、第２の支材７ｂを時計中板６上に固定することを可能にする。
【００３３】
各支材７ａ、７ｂの中心部分の形状は、溝２０ａ、２０ｂ内に受けられるように、時計中板６の溝２０ａ、２０ｂの一方の形状と相補関係にある。図１から図４で例とする時計ケース２において、支材７ａ、７ｂの中心部分は、弓形状である。しかし、本発明は、支材の中心部分をこの種類の形状に決して限定するものではない。
【００３４】
第２の支材７ｂは、好ましくは、図３及び図４で見えるように、時計中板６上に支材を案内、配置する少なくとも１つの要素３４を備える。図１から図４に示す特定の実施形態では、第２の支材７ｂは、２つの案内・配置要素３４を備える。各案内・配置要素３４は、例えば、支材の中心部分２２ｂの内面から突出するスタッドから形成される。時計中板６は、その左手側面上、例えば、側面内に形成した溝２０ｂ内に、要素３４を受け入れる２つのオリフィス３６を備える。図１から図４に示す特定の実施形態では、各要素３４は、第２の支材７ｂの中心部分２２ｂの一端に配置し、各受け入れオリフィス３６は、時計中板６上の対応する位置で配置する。しかし、この要素３４及びオリフィス３６の配置及びこれらの数は、本発明の背景において決して限定的なものではない。
【００３５】
時計ストラップ４を支材７ａ、７ｂに取り外し可能に取り付ける手段８は、好ましくは、時計ストラップ４を保持する手段４２を備え、手段４２は、ケースに固定することを目的として、時計ストラップ４の端部４０に設けたアイレット４０ａに挿入される。図示の例では、時計ストラップは、可撓性時計ストラップであり、ストラップのアイレット４０ａは、従来、時計ストラップ区分の一方の横縁部からもう一方の横縁部へ延在する貫通路を画定するが、一変形形態によれば、通路の長さ部が時計ストラップを保持する手段を受けるように適合される場合、時計ストラップのアイレット４０ａを画定する通路は、貫通路ではないことは言うまでもない。
【００３６】
図１から図４までの特定の実施形態では、各支材７ａ、７ｂは、「Ｌ字」形状の２つの端部分を含む。したがって、この実施形態によれば、保持手段４２は、「Ｌ字」形状の端部分によって形成する。各支材７ａ、７ｂは、好ましくは、「Ｌ字」形状の２つの端部分４２との一体部品である。
【００３７】
「Ｌ字」形状の各端部分４２は、時計ストラップ４の端部４０に設けたアイレット４０ａに挿入されるピン４４を備える。各ピン４４は、対応する支材７ａ、７ｂを時計中板６に固定した際、時計ケース２の３時−９時軸に実質的に平行である。このようにして、時計ストラップ４の各区分４０は、そのアイレット４０ａ内で、それぞれが支材７ａ、７ｂの一方の一部である対向する２つのピン４４を受け入れる。したがって、区分４０内のピン４４のこの構成は、支材７ａ、７ｂへの時計ストラップ４の取り外し可能取り付け部８を実現し、この取り付け部８は、第２の支材７ｂを時計中板６に固定した際に形成される。
【００３８】
図１に示すように、時計ストラップ４の一区分の同じアイレット４０ａの内側で対向するピン４４は、第２の支材７ｂを時計中板６に固定した際にピン４４の自由端の間に小空間４６を形成する一方で、十分なピン貫通長さを保ち、時計ストラップ４が特に時計ストラップの長手方向軸に沿って牽引力を受けた場合に、保持手段に対する時計ストラップ４の確実な保持を保証するようにする。この点について、時計ストラップの材料が可撓性である場合、時計ストラップのアイレット４０ａは、有利には、剛性強化管を具備することに留意されたい。
【００３９】
ピン４４の外部表面は、好ましくは、ある摩擦係数を得られるように処理し、これにより、時計ストラップ４の区分のアイレット４０ａ内でピン４４の所定の間隙を可能にする。１つのそのような処理は、例えば、ピン４４上への被覆層の付着により得られ、この種類の被覆層は、例えば、ポリテトラフルオロエチレン（ＰＴＦＥ）層である。このことにより、時計ストラップ４の嵌合・取り外し作業の更なる促進を可能にする。
【００４０】
次に、本発明による時計ケース２を備える腕時計１において時計ストラップを交換する作業を図３及び図４を参照しながら説明する。
【００４１】
ユーザが、例えば時計ストラップを交換するために時計ケース２から時計ストラップ４を外したい場合、第２の支材７ｂを取り外す手段２４の作動によって開始する。特に、図３に示すように、ユーザは、最初に、りゅうず車１３の頭部２６のねじを外し、これにより、矢印Ｆ１の方向で第２の支材７ｂを溝２０ｂから分離可能にする。この作業は、第２の支材７ｂを時計中板６から外すことを可能にする。このようにすると、時計ストラップ４を支材７ａ、７ｂに取り外し可能に取り付ける手段８は、部分的に分解される。これは、第２の支材７ｂの端部ピン４４を時計ストラップ４の区分４０から摺動させて外すためである。
【００４２】
次に、図４に示すように、ユーザは、第１の支材７ａの端部ピン４４に沿って時計ストラップ４を矢印Ｆ２の方向で摺動させれば十分であり、時計ストラップ４の簡単な抜き取りを可能にする。次に、時計ストラップ４を時計の残りから完全に外す。
【００４３】
次に、ユーザは、有利には、時計ストラップ４を新たな時計ストラップと取り替え、次に、上記の作業順序を逆にすることによって、新たな時計ストラップを支材７ａ、７ｂに取り付けることができる。
【００４４】
本発明による時計ケースの上述の説明は、時計中板を支持する２つの支材を参照して示してきた。しかし、この特定の数の支材は、本発明の背景において決して限定的なものではない。特に、図示しない変形実施形態によれば、時計ケースは、時計中板を支持する唯一の支材を含むことができ、この場合、唯一の支材は、取り外し可能支材を形成する。
【符号の説明】
【００４５】
１  腕時計
２  時計ケース
４  時計ストラップ
６  時計中板
７ａ  支材
７ｂ  支材
８  取り外し可能取り付け手段
１３  固定部材
２０ａ  支材受け入れ溝
２０ｂ  支材受け入れ溝
２２ｂ  支材中心部分
２４  取り外し手段
２６  りゅうず車頭部
２８  固定棒
３０  開口
３２  雌ねじ開口
３４  案内・配置要素
３６  受け入れオリフィス
４０  時計ストラップ端区分
４２  時計ストラップ保持手段（２つのＬ字形状端部分から成る）
４４  ピン
【図１】
2019049546.tif 000003
【図２ａ】
2019049546.tif 000004
【図２ｂ】
2019049546.tif 000005
【図３】
2019049546.tif 000006
【図４】
2019049546.tif 000007